(57)【特許請求の範囲】
【請求項１】
液晶パネルの青色サブ画素のグレースケール値の設定方法であって、
各画素ユニットが少なくとも青色サブ画素からなる複数の画素ユニットを備える液晶パネルを提供する手順と、
前記液晶パネルを、隣接する第１画素ユニットと第２画素ユニットとからなる複数の表示ユニットに分割する手順と、
前記表示ユニットを単位として青色サブ画素のグレースケール値ＧＢｋが与えられたときに、前記第１画素ユニット内の青色サブ画素に与えるグレースケール値ＧＢＨｋと、前記第２画素ユニット内の青色サブ画素に与えるグレースケール値ＧＢＬｋと、の組み合わせに分割する手順と、からなり、
前記表示ユニットを単位として青色サブ画素のグレースケール値ＧＢｋが与えられたときに、前記第１画素ユニット内の青色サブ画素に与えるグレースケール値ＧＢＨｋと、前記第２画素ユニット内の青色サブ画素に与えるグレースケール値ＧＢＬｋと、の組み合わせに分割する手順は、具体的にＳ１０１，Ｓ１０２，Ｓ１０３，Ｓ１０４，Ｓ１０５からなり、
Ｓ１０１は、前記青色サブ画素の正視角度αにおける実際の輝度Ｌｖ（実）α（ＧＢｋ）とグレースケール値ＧＢｋの関係曲線ＧＢｋ−Ｌｖ（実）α（ＧＢｋ）を得る手順であり、
Ｓ１０２は、前記青色サブ画素の斜視角度βにおける実際の輝度Ｌｖ（実）α（ＧＢｋ）とグレースケール値ＧＢｋの関係曲線ＧＢｋ−Ｌｖ（実）β（ＧＢｋ）を得る手順であり、
Ｓ１０３は、
（ＧＢｋ／２５５）γ＝Ｌｖ（理）α（ＧＢｋ）／Ｌｖ（実）α（２５５）
（ＧＢｋ／２５５）γ＝Ｌｖ（理）β（ＧＢｋ）／Ｌｖ（実）β（２５５）
に基づき計算し、前記青色サブ画素の正視角度α及び斜視角度βにおける理論上の輝度Ｌｖ（理）α（ＧＢｋ）、Ｌｖ（理）β（ＧＢｋ）とグレースケール値ＧＢｋとの関係曲線ＧＢｋ−Ｌｖ（理）α（ＧＢｋ）及びＧＢｋ−Ｌｖ（理）β（ＧＢｋ）を得る手順であり、
Ｓ１０４は、前記表示ユニットに必要な青色サブ画素のグレースケール値ＧＢｋについて、前記第１画素ユニット内の青色サブ画素に入力するグレースケール値ＧＢＨｋと、前記第２画素ユニット内の青色サブ画素に入力するグレースケール値ＧＢＬｋと、を以下の関係式
Δ１ｋ＝Ｌｖ（理）α（ＧＢｋ）＋Ｌｖ（理）α（ＧＢｋ）−Ｌｖ（実）α（ＧＢＨｋ）−Ｌｖ（実）α（ＧＢＬｋ）
Δ２ｋ＝Ｌｖ（理）β（ＧＢｋ）＋Ｌｖ（理）β（ＧＢｋ）−Ｌｖ（実）β（ＧＢＨｋ）−Ｌｖ（実）β（ＧＢＬｋ）
ｙ＝Δ１ｋ２＋Δ２ｋ２
においてｙが最小値をとるように、各グレースケール値ＧＢｋに対するＧＢＨｋとＧＢＬｋとの組み合わせ（ＧＢＨｋ、ＧＢＬｋ）を求め、
Ｓ１０５は、前記表示ユニットを単位として与えられる青色サブ画素の各グレースケール値ＧＢｋについて、手順Ｓ１０４に基づき、対応する一つのグレースケール値ＧＢＨｋ及びＧＢＬｋの組み合わせを得て、前記液晶パネルの青色サブ画素についての表示ルックアップテーブルＬＵＴを新たに設定する手順である、
ことを特徴とする液晶パネルの青色サブ画素のグレースケール値の設定方法。
なお、添字のｋは序数であり、ＧＢｋは青色サブ画素に与えるグレースケール値であって、ｋが０〜２５５のとき、ＧＢｋは０〜２５５であり、
Ｌｖ（実）α（ＧＢＨｋ）は｛Ｌｖ（実）α（ＧＢｋ）｝のなかか選択される１つの輝度値であり、
Ｌｖ（実）α（ＧＢＬｋ）は｛Ｌｖ（実）α（ＧＢｋ）｝のなかか選択される１つの輝度値であり、
Ｌｖ（実）β（ＧＢＨｋ）は｛Ｌｖ（実）β（ＧＢｋ）｝のなかか選択される１つの輝度値であり、
Ｌｖ（実）β（ＧＢＬｋ）は｛Ｌｖ（実）β（ＧＢｋ）｝のなかか選択される１つの輝度値である。
ただし、Ｌｖ（実）α（ＧＢＨｋ）とＬｖ（実）β（ＧＢＨｋ）とはＧＢＨｋを共通の引数としているのでＧＢＨｋの値が決まれば、Ｌｖ（実）α（ＧＢＨｋ）とＬｖ（実）β（ＧＢＨｋ）の値は決まるし、
Ｌｖ（実）α（ＧＢＬｋ）とＬｖ（実）β（ＧＢＬｋ）とはＧＢＬｋを共通の引数としているのでＧＢＬｋの値が決まれば、Ｌｖ（実）α（ＧＢＬｋ）とＬｖ（実）β（ＧＢＬｋ）の値は決まる。
また、前記正視角度αは、０°であり、前記斜視角度βは、３０〜８０°であり、
γ＝１．８〜２．４である。
【請求項２】
請求項１に記載の液晶パネルの青色サブ画素のグレースケール値の設定方法において、
前記斜視角度βは、６０°である
ことを特徴とする液晶パネルの青色サブ画素のグレースケール値の設定方法。
【請求項３】
請求項１に記載の液晶パネルの青色サブ画素のグレースケール値の設定方法において、
前記画素ユニットは、さらに、赤色サブ画素及び緑色サブ画素を備え、青色サブ画素のデータパラメータを新たに設定した時、赤色サブ画素及び緑色サブ画素のデータ信号は不変を維持する、
ことを特徴とする液晶パネルの青色サブ画素のグレースケール値の設定方法。
【請求項４】
請求項１に記載の液晶パネルの青色サブ画素のグレースケール値の設定方法において、
γ＝２．２である
ことを特徴とする液晶パネルの青色サブ画素のグレースケール値の設定方法。
【発明の詳細な説明】
【技術分野】
【０００１】
本発明は、液晶ディスプレイ技術に関し、特に、液晶パネルの青色サブ画素のグレースケール値の設定方法に関する。
【背景技術】
【０００２】
液晶ディスプレイは、ＬＣＤ（Ｌｉｑｕｉｄ  Ｃｒｙｓｔａｌ  Ｄｉｓｐｌａｙ）とも呼ばれ、超薄型の平面ディスプレイ装置と、一定数のカラーまたはモノクロ画素からなり、光源または反射板の前方に配置される。
液晶ディスプレイは、低消費電力であり、且つ、高画質で、場所をとらず、重さも軽いといった特色を備えているため、いっそう人気を博しており、ディスプレイの主流となっている。
液晶ディスプレイはすでに各種電子製品において広く使用されており、例えば、ディスプレイ画面を備えたコンピューター装置や、携帯電話、あるいはデジタルフォトフレームなど、広視野角の技術は、現在液晶ディスプレイの開発の重点の一つになっている。
しかしながら、側面または斜めから見る視野角が大き過ぎると、広視野角の液晶ディスプレイは、よくカラーシフト（ｃｏｌｏｒ  ｓｈｉｆｔ）現象が発生する。
【０００３】
広視野角の液晶ディスプレイに発生するカラーシフト現象の問題に関しては、現在業界中で２Ｄ１Ｇ技術を用いて改善するようになった。
２Ｄ１Ｇ技術は、液晶パネルのうち、各画素ユニット（ｐｉｘｅｌ）を面積の異なるメイン画素区域（Ｍａｉｎ  ｐｉｘｅｌ）及びサブ画素区域（Ｓｕｂ  ｐｉｘｅｌ）に分け、同じ画素ユニット中のメイン画素区域及びサブ画素区域を異なるデータ線（Ｄａｔａ  ｌｉｎｅ）及び同じ走査線（Ｇａｔｅ  ｌｉｎｅ）とに接続する技術のことを指す。
メイン画素区域及びサブ画素区域に入力する異なるデータ信号（異なるグレースケール値）によって、異なる表示輝度及び斜視輝度を作り出し、側面または斜めから見た時に生じるカラーシフトの問題を抑えることができる。
ただし、各画素ユニットを、メイン画素区域及びサブ画素区域に分割すると、その入力データ信号のデータ線の数量は元の二倍になり、これにより、液晶パネルの開口率が大幅に減り、透過率に影響するため、液晶パネルの表示品質が下がってしまう。
【発明の概要】
【発明が解決しようとする課題】
【０００４】
本発明は、液晶パネルの駆動方法を変え、従来のＲＧＢ三画素液晶パネル内で２Ｄ１Ｇパネルの表示をシミュレーションすることで、側面または斜めから見た時に起こるカラーシフトの問題を抑えることができる液晶パネルの青色サブ画素のグレースケール値の設定方法を提供することを目的とする。
【課題を解決するための手段】
【０００５】
本発明の液晶パネルの青色サブ画素のグレースケール値の設定方法は、
各画素ユニットが少なくとも青色サブ画素からなる複数の画素ユニットを備える液晶パネルを提供する手順と、
前記液晶パネルを、隣接する第１画素ユニットと第２画素ユニットとからなる複数の表示ユニットに分割する手順と、
前記表示ユニットを単位として青色サブ画素のグレースケール値ＧＢｋが与えられたときに、前記第１画素ユニット内の青色サブ画素に与えるグレースケール値ＧＢＨｋと、前記第２画素ユニット内の青色サブ画素に与えるグレースケール値ＧＢＬｋと、の組み合わせに分割する手順と、からなり、
前記表示ユニットを単位として青色サブ画素のグレースケール値ＧＢｋが与えられたときに、前記第１画素ユニット内の青色サブ画素に与えるグレースケール値ＧＢＨｋと、前記第２画素ユニット内の青色サブ画素に与えるグレースケール値ＧＢＬｋと、の組み合わせに分割する手順は、具体的にＳ１０１，Ｓ１０２，Ｓ１０３，Ｓ１０４，Ｓ１０５からなり、
Ｓ１０１は、前記青色サブ画素の正視角度αにおける実際の輝度Ｌｖ（実）α（ＧＢｋ）とグレースケール値ＧＢｋの関係曲線ＧＢｋ−Ｌｖ（実）α（ＧＢｋ）を得る手順であり、
Ｓ１０２は、前記青色サブ画素の斜視角度βにおける実際の輝度Ｌｖ（実）α（ＧＢｋ）とグレースケール値ＧＢｋの関係曲線ＧＢｋ−Ｌｖ（実）β（ＧＢｋ）を得る手順であり、
Ｓ１０３は、
（ＧＢｋ／２５５）γ＝Ｌｖ（理）α（ＧＢｋ）／Ｌｖ（実）α（２５５）
（ＧＢｋ／２５５）γ＝Ｌｖ（理）β（ＧＢｋ）／Ｌｖ（実）β（２５５）
に基づき計算し、前記青色サブ画素の正視角度α及び斜視角度βにおける理論上の輝度Ｌｖ（理）α（ＧＢｋ）、Ｌｖ（理）β（ＧＢｋ）とグレースケール値ＧＢｋとの関係曲線ＧＢｋ−Ｌｖ（理）α（ＧＢｋ）及びＧＢｋ−Ｌｖ（理）β（ＧＢｋ）を得る手順であり、
Ｓ１０４は、前記表示ユニットに必要な青色サブ画素のグレースケール値ＧＢｋについて、前記第１画素ユニット内の青色サブ画素に入力するグレースケール値ＧＢＨｋと、前記第２画素ユニット内の青色サブ画素に入力するグレースケール値ＧＢＬｋと、を以下の関係式
Δ１ｋ＝Ｌｖ（理）α（ＧＢｋ）＋Ｌｖ（理）α（ＧＢｋ）−Ｌｖ（実）α（ＧＢＨｋ）−Ｌｖ（実）α（ＧＢＬｋ）
Δ２ｋ＝Ｌｖ（理）β（ＧＢｋ）＋Ｌｖ（理）β（ＧＢｋ）−Ｌｖ（実）β（ＧＢＨｋ）−Ｌｖ（実）β（ＧＢＬｋ）
ｙ＝Δ１ｋ２＋Δ２ｋ２
においてｙが最小値をとるように、各グレースケール値ＧＢｋに対するＧＢＨｋとＧＢＬｋとの組み合わせ（ＧＢＨｋ、ＧＢＬｋ）を求め、
Ｓ１０５は、前記表示ユニットを単位として与えられる青色サブ画素の各グレースケール値ＧＢｋについて、手順Ｓ１０４に基づき、対応する一つのグレースケール値ＧＢＨｋ及びＧＢＬｋの組み合わせを得て、前記液晶パネルの青色サブ画素についての表示ルックアップテーブルＬＵＴを新たに設定する手順である、
ことを特徴とする液晶パネルの青色サブ画素のグレースケール値の設定方法。
なお、添字のｋは序数であり、ＧＢｋは青色サブ画素に与えるグレースケール値であって、ｋが０〜２５５のとき、ＧＢｋは０〜２５５であり、
Ｌｖ（実）α（ＧＢＨｋ）は｛Ｌｖ（実）α（ＧＢｋ）｝のなかか選択される１つの輝度値であり、
Ｌｖ（実）α（ＧＢＬｋ）は｛Ｌｖ（実）α（ＧＢｋ）｝のなかか選択される１つの輝度値であり、
Ｌｖ（実）β（ＧＢＨｋ）は｛Ｌｖ（実）β（ＧＢｋ）｝のなかか選択される１つの輝度値であり、
Ｌｖ（実）β（ＧＢＬｋ）は｛Ｌｖ（実）β（ＧＢｋ）｝のなかか選択される１つの輝度値である。
ただし、Ｌｖ（実）α（ＧＢＨｋ）とＬｖ（実）β（ＧＢＨｋ）とはＧＢＨｋを共通の引数としているのでＧＢＨｋの値が決まれば、Ｌｖ（実）α（ＧＢＨｋ）とＬｖ（実）β（ＧＢＨｋ）の値は決まるし、
Ｌｖ（実）α（ＧＢＬｋ）とＬｖ（実）β（ＧＢＬｋ）とはＧＢＬｋを共通の引数としているのでＧＢＬｋの値が決まれば、Ｌｖ（実）α（ＧＢＬｋ）とＬｖ（実）β（ＧＢＬｋ）の値は決まる。
また、前記正視角度αは、０°であり、前記斜視角度βは、３０〜８０°であり、
γ＝１．８〜２．４である。
【発明の効果】
【０００６】
本発明が提供する液晶パネル及びその駆動方法は、従来のＲＧＢ三画素液晶パネル内で、その駆動方法を変えて、２Ｄ１Ｇパネルの表示をシミュレーションすることで、側面または斜めから見た時に起こるカラーシフトの問題を抑えるとともに、液晶パネルの開口率が小さくならず、液晶パネルの表示品質を保障することができる。
【図面の簡単な説明】
【０００７】
【図１】本発明の実施例が提供する液晶パネルの構造の概略図である。
【図２】本発明の実施例が提供する液晶パネル内の表示ユニットを分割した例示図である。
【図３】本発明の実施例が提供する駆動方法において、表示ユニットにデータ信号を提供する例示図である。
【図４】本発明の実施例が提供する液晶パネル内の青色サブ画素及び緑色サブ画素の正視角度及び斜視角度における実際の輝度曲線図である。
【発明を実施するための形態】
【０００８】
本発明の目的、また技術手段及び長所をより理解させるために、以下では、実施例と図を示して、本発明について詳しく説明する。
【０００９】
図１を参照する。
従来の液晶パネルは主に、複数の画素ユニット５ａ、５ｂを備える表示エリア１と、ゲートドライバ２と、ソースドライバ３と、からなる。
前記ゲートドライバ２は、複数本の走査線を通して前記画素ユニット５ａ、５ｂに走査信号を提供し、前記ソースドライバ３は、複数本のデータ線を通して前記画素ユニット５ａ、５ｂにデータ信号を提供する。
そのうち、画素ユニット５ａは、赤色サブ画素５１と、緑色サブ画素５２と、青色サブ画素５３Ｈと、からなる。
各画素ユニット５ｂは、赤色サブ画素５１と、緑色サブ画素５２と、青色サブ画素５３Ｌと、からなる。
【００１０】
本実施例は、液晶パネルの駆動方法を変えることで、前記の従来のＲＧＢ三画素液晶パネルで、２Ｄ１Ｇパネルの表示をシミュレーションし、側面または斜めから見た場合に起こるカラーシフトの問題を抑えることを目的とする。
【００１１】
上記の目的を達成するため、本発明が提供する液晶パネルは、図１及び図２が示すように、まず液晶パネルの表示エリア１を複数の表示ユニット４に分割する。
各表示ユニット４は、隣接する第１画素ユニット５ａと、第２画素ユニット５ｂと、からなる。
前記液晶パネルを駆動する時、表示ユニット４に必要な青色サブ画素５３Ｈ、５３Ｌのグレースケール値ＧＢについては、
第１画素ユニット５ａの青色サブ画素５３Ｈにグレースケール値ＧＢＨを提供し、
前記第２画素ユニット５ｂの青色サブ画素５３Ｌにグレースケール値ＧＢＬを提供する。
そのうち、グレースケール値ＧＢＨ及びＧＢＬの組み合わせにより、前記表示ユニット４の青色サブ画素５３Ｈ、５３Ｌの斜視角度における輝度曲線を、所定のＧａｍｍａ（γ）曲線に近づけることができる。
そのうち、Ｇａｍｍａ（γ）曲線は、実際の液晶パネルの必要に基づいて確定し、γの値は、１．８〜２．４とすることができる。
図３は表示ユニット４にデータ信号を入力した例示図である。
図３に示すように、表示ユニット４の二つの画素ユニット５ａ及び５ｂにおいて、青色サブ画素５３Ｈ、５３Ｌのグレースケール値ＧＢＨ及びＧＢＬを新たに設定した時、赤色サブ画素５１のデータ信号Ｒ及びＧは不変を維持する。
【００１２】
そのうち、前記正視角度αは０°であり、前記斜視角度βの範囲は３０°〜８０°である。
【００１３】
そのうち、図１−３の概略図を参照する。
グレースケール値ＧＢをグレースケール値ＧＢＨ及びＧＢＬの組み合わせに分割する手順は、具体的に、Ｓ１０１，Ｓ１０２，Ｓ１０３，Ｓ１０４，Ｓ１０５，からなる。
【００１４】
Ｓ１０１は、前記液晶パネルの青色サブ画素５３Ｈ、５３Ｌの正視角度αにおける実際の輝度Ｌｖ（実）α（ＧＢｋ）とグレースケール値ＧＢｋの関係曲線ＧＢｋ−Ｌｖ（実）α（ＧＢｋ）を得る手順である。
添字のｋは序数であって、ＧＢｋは青色サブ画素５３に与えるグレースケール値である。
例えば、ｋが０〜２５５のとき、ＧＢｋの値は０〜２５５である。
青色サブ画素５３Ｈと青色サブ画素５３Ｌとは、表示特性としては同じものであるから、グレースケール値ＧＢｋに対応する青色サブ画素５３の実際の輝度Ｌｖ（実）α（ＧＢｋ）を得るにあたっては青色サブ画素５３Ｈと青色サブ画素５３Ｌとのうちのいずれか一方を代表させて使用するものとする。
【００１５】
Ｓ１０２は、前記液晶パネルの青色サブ画素５３の斜視角度βにおける実際の輝度Ｌｖ（実）β（ＧＢｋ）とグレースケール値ＧＢｋの関係曲線ＧＢｋ−Ｌｖ（実）β（ＧＢｋ）を得る手順である。
同じく、添字のｋは序数であって、ＧＢｋは青色サブ画素５３に与えるグレースケール値である。
例えば、ｋが０〜２５５のとき、ＧＢｋの値は０〜２５５である。
青色サブ画素５３Ｈと青色サブ画素５３Ｌとは、表示特性としては同じものであるから、グレースケール値ＧＢｋに対応する青色サブ画素５３の実際の輝度Ｌｖ（実）β（ＧＢｋ）を得るにあたっては青色サブ画素５３Ｈと青色サブ画素５３Ｌとのうちのいずれか一方を代表させて使用するものとする。
【００１６】
Ｓ１０３は、
（ＧＢｋ／２５５）γ＝Ｌｖ（理）α（ＧＢｋ）／Ｌｖ（実）α（２５５）
（ＧＢｋ／２５５）γ＝Ｌｖ（理）β（ＧＢｋ）／Ｌｖ（実）β（２５５）
に基づいて計算し、
前記液晶パネルの青色サブ画素５３の正視角度α及び斜視角度βにおける理論上の輝度Ｌｖ（理）α（ＧＢｋ）、Ｌｖ（理）β（ＧＢｋ）とグレースケール値ＧＢｋとの関係曲線ＧＢｋ−Ｌｖ（理）α（ＧＢｋ）及びＧＢｋ−Ｌｖ（理）β（ＧＢｋ）を得る手順である。
【００１７】
Ｓ１０４は、表示ユニット４に必要な青色サブ画素のグレースケール値ＧＢｋに対して、第１画素ユニット５ａ内の青色サブ画素５３Ｈに入力するグレースケール値ＧＢＨｋと、第２画素ユニット５ｂ内の青色サブ画素５３Ｌに入力するグレースケール値ＧＢＬｋと、を以下の関係式で求める手順である。
第１画素ユニット５ａ内の青色サブ画素５３Ｈに入力するグレースケール値をＧＢＨｋと表わし、第２画素ユニット５ｂ内の青色サブ画素５３Ｌに入力するグレースケール値をＧＢＬｋと表わすとする。
ＧＢＨｋ、ＧＢＬｋはグレースケール値であって、すなわち、ＧＢＨｋ、ＧＢＬｋは例えば０〜２５５のいずれかの値である。
そして、
正視角度αにおいて、第１画素ユニット５ａ内の青色サブ画素５３Ｈにグレースケール値ＧＢＨｋを入力したときの青色サブ画素５３Ｈの輝度を輝度Ｌｖ（実）α（ＧＢＨｋ）で表わす。
正視角度αにおいて、第２画素ユニット５ｂ内の青色サブ画素５３Ｌにグレースケール値ＧＢＬｋを入力したときの青色サブ画素５３Ｌの輝度を輝度Ｌｖ（実）α（ＧＢＬｋ）で表わす。
斜視角度βにおいて、第１画素ユニット５ａ内の青色サブ画素５３Ｈにグレースケール値ＧＢＨｋを入力したときの青色サブ画素５３Ｈの輝度を輝度Ｌｖ（実）β（ＧＢＨｋ）で表わす。
斜視角度βにおいて、第２画素ユニット５ｂ内の青色サブ画素５３Ｌにグレースケール値ＧＢＬｋを入力したときの青色サブ画素５３Ｌの輝度を輝度Ｌｖ（実）β（ＧＢＬｋ）で表わす。
そして、表示ユニット４を単位として与えられる青色サブ画素のグレースケール値ＧＢｋに対して、青色サブ画素５３Ｈのグレースケール値ＧＢＨｋと青色サブ画素５３Ｌのグレースケール値ＧＢＬｋとの組み合わせ（ＧＢＨｋ、ＧＢＬｋ）を求める。
【００１８】
ここで、Ｌｖ（実）α（ＧＢＨｋ）は｛Ｌｖ（実）α（０）、Ｌｖ（実）α（１）、・・・Ｌｖ（実）α（２５５）｝であって、グレースケール値ＧＢＨｋに対応する青色サブ画素５３Ｈの実際の輝度がＬｖ（実）α（ＧＢＨｋ）ということである。
この表記に従って、例えば、次のように解釈されたい。
Ｌｖ（実）α（ＧＢＨｋ）は｛Ｌｖ（実）α（ＧＢｋ）｝と同じであり、すなわち、Ｌｖ（実）α（ＧＢＨｋ）は｛Ｌｖ（実）α（ＧＢｋ）｝のなかか選択される１つの値（輝度値）である。
同じく、Ｌｖ（実）α（ＧＢＬｋ）は｛Ｌｖ（実）α（ＧＢｋ）｝と同じであり、すなわち、Ｌｖ（実）α（ＧＢＬｋ）は｛Ｌｖ（実）α（ＧＢｋ）｝のなかか選択される１つの値（輝度値）である。
Ｌｖ（実）β（ＧＢＨｋ）は｛Ｌｖ（実）β（ＧＢｋ）｝と同じであり、すなわち、Ｌｖ（実）β（ＧＢＨｋ）は｛Ｌｖ（実）β（ＧＢｋ）｝のなかか選択される１つの値（輝度値）である。
同じく、Ｌｖ（実）β（ＧＢＬｋ）は｛Ｌｖ（実）β（ＧＢｋ）｝と同じであり、すなわち、Ｌｖ（実）β（ＧＢＬｋ）は｛Ｌｖ（実）β（ＧＢｋ）｝のなかか選択される１つの値（輝度値）である。
【００１９】
いま、表示ユニット４を単位として青色サブ画素のグレースケール値ＧＢｋが与えられたときに、青色サブ画素５３Ｈのグレースケール値ＧＢＨｋと青色サブ画素５３Ｌのグレースケール値ＧＢＬｋとの組み合わせ（ＧＢＨｋ、ＧＢＬｋ）を次の式で設定することにより、正視角度αと斜視角度βにおいて、実際の輝度と理論輝度との差の和が最小になるようにする。
【００２０】
Δ１ｋ＝Ｌｖ（理）α（ＧＢｋ）＋Ｌｖ（理）α（ＧＢｋ）−Ｌｖ（実）α（ＧＢＨｋ）−Ｌｖ（実）α（ＧＢＬｋ）
Δ２ｋ＝Ｌｖ（理）β（ＧＢｋ）＋Ｌｖ（理）β（ＧＢｋ）−Ｌｖ（実）β（ＧＢＨｋ）−Ｌｖ（実）β（ＧＢＬｋ）
ｙ＝Δ１ｋ２＋Δ２ｋ２
【００２１】
表示ユニット４を単位として与えられた青色サブ画素のグレースケール値ＧＢｋに対して、ｙが最小値となるときの青色サブ画素５３Ｈのグレースケール値ＧＢＨｋと青色サブ画素５３Ｌのグレースケール値ＧＢＬｋとの組み合わせ（ＧＢＨｋ、ＧＢＬｋ）を求める。
なお、Ｌｖ（実）α（ＧＢＨｋ）とＬｖ（実）β（ＧＢＨｋ）とはＧＢＨｋを共通の引数としているのでＧＢＨｋの値が決まれば、Ｌｖ（実）α（ＧＢＨｋ）とＬｖ（実）β（ＧＢＨｋ）の値は決まる。
同じく、Ｌｖ（実）α（ＧＢＬｋ）とＬｖ（実）β（ＧＢＬｋ）とはＧＢＬｋを共通の引数としているのでＧＢＬｋの値が決まれば、Ｌｖ（実）α（ＧＢＬｋ）とＬｖ（実）β（ＧＢＬｋ）の値は決まる。
【００２２】
Ｓ１０５は、表示ユニット４の青色サブ画素５３の各グレースケール値ＧＢｋについて、手順Ｓ１０４に基づき、対応する一つのグレースケール値ＧＢＨｋ及びＧＢＬｋの組み合わせを得て、前記液晶パネルの青色サブ画素５３についての表示ルックアップテーブル（ＬＯＯＫ  ＵＰ  ＴＡＢＬＥ、ＬＵＴ）を新たに設定する手順である。
【００２３】
以下では、所定のＧａｍｍａ（γ）曲線においてγ＝２．２、正視角度α＝０°、斜視角度β＝６０°を具体的な例とし、グレースケール値ＧＢｋをグレースケール値ＧＢＨｋ及びＧＢＬｋの組み合わせに分割する具体的な工程について詳しく説明する。
【００２４】
まず、前記液晶パネルの青色サブ画素５３の正視角度α＝０°における実際の輝度及びグレースケールの関係曲線ＧＢｋ−Ｌｖ（実）０（ＧＢｋ）と、斜視角度β＝６０°における実際の輝度及びグレースケールの関係曲線ＧＢｋ−Ｌｖ（実）６０（ＧＢｋ）を得る。
図４の関係曲線図が示す通りである。
そのうち前記液晶パネルのグレースケールは、０〜２５５の２５６個のグレースケールからなる。
【００２５】
それから、
（ＧＢｋ／２５５）γ＝Ｌｖ（理）０（ＧＢｋ）／Ｌｖ（実）０（２５５）
（ＧＢｋ／２５５）γ＝Ｌｖ（理）６０（ＧＢｋ）／Ｌｖ（実）６０（２５５）
に基づいて計算し、液晶パネルの青色サブ画素５３の正視角度α＝０°及び斜視角度β＝６０°における理論上の輝度及びグレースケールの関係曲線ＧＢｋ−Ｌｖ（理）０（ＧＢｋ）及びＧＢｋ−Ｌｖ（理）６０（ＧＢｋ）を得る。
そのうち、前記式において、
正視角度α＝０°の時、Ｌｖ（実）０（２５５）は、前記曲線ＧＢｋ−Ｌｖ（実）０（ＧＢｋ）内のＧＢｋ＝２５５に対応する輝度値をとり、
斜視角度β＝６０°の時、Ｌｖ（実）６０（２５５）は、前記曲線ＧＢｋ−Ｌｖ（実）６０（ＧＢｋ）内のＧＢｋ＝２５５に対応する輝度値をとる。
【００２６】
さらに詳しく説明する。
表示ユニット４に必要な青色サブ画素５３のグレースケール値ＧＢｋ（すなわち、本来第１画素ユニット５ａ及び第２画素ユニット５ｂ内に入力する必要がある青色サブ画素５３のグレースケール値をいずれもＧＢｋとする）に対し、第１画素ユニット５ａ内の青色サブ画素５３Ｈに入力するグレースケール値ＧＢＨｋと、第２画素ユニット５ｂ内の青色サブ画素５３Ｌに入力するグレースケール値ＧＢＬｋは、以下の関係式を満たす。
【００２７】
Δ１ｋ＝Ｌｖ（理）０（ＧＢｋ）＋Ｌｖ（理）０（ＧＢｋ）−Ｌｖ（実）０（ＧＢＨｋ）−Ｌｖ（実）０（ＧＢＬｋ）
Δ２ｋ＝Ｌｖ（理）６０（ＧＢｋ）＋Ｌｖ（理）６０（ＧＢｋ）−Ｌｖ（実）６０（ＧＢＨｋ）−Ｌｖ（実）６０（ＧＢＬｋ）
ｙ＝Δ１ｋ２＋Δ２ｋ２
【００２８】
表示ユニット４の単位で青色サブ画素５３のグレースケール値ＧＢｋを与えたとき、理論上の輝度曲線ＧＢｋ−Ｌｖ（理）０（ＧＢｋ）及びＧＢｋ−Ｌｖ（理）６０（ＧＢｋ）から、Ｌｖ（理）０（ＧＢｋ）及びＬｖ（理）６０（ＧＢｋ）のとる値が求められ、実際の輝度曲線ＧＢｋ−Ｌｖ（実）０（ＧＢｋ）から、Ｌｖ（実）０（ＧＢＨｋ）及びＬｖ（実）０（ＧＢＬｋ）が求められ、実際の輝度曲線ＧＢｋ−Ｌｖ（実）６０（ＧＢｋ）から、Ｌｖ（実）６０（ＧＢＨｋ）及びＬｖ（実）６０（ＧＢＬｋ）が求められ、前記関係式内のｙのとる値が最小になるとき、対応するグレースケール値ＧＢＨｋ及びＧＢＬｋが得られる。
【００２９】
最後に、前記表示ユニット４に必要な青色サブ画素５３の各グレースケール値ＧＢｋについて、前記の計算方式に基づいて、対応する一つのＧＢＨｋ及びＧＢＬｋの組み合わせを得るとともに、前記液晶パネルの青色サブ画素５３についての表示ルックアップテーブル（ＬＯＯＫ  ＵＰ  ＴＡＢＬＥ、ＬＵＴ）を、新たに設定する。
液晶パネルが駆動していて、画面を表示している時、表示ユニット４に必要な青色サブ画素５３のグレースケール値がＧＢｋのとき、前記表示ルックアップテーブル内から、前記第１画素ユニット５ａ内の青色サブ画素５３Ｈにグレースケール値ＧＢＨｋを提供するとともに、前記第２画素ユニット５ｂ内の青色サブ画素５３Ｌにグレースケール値ＧＢＬｋを提供する。
【００３０】
上記に記載の実施例による液晶パネル及びその駆動方法は、まず従来の液晶パネルを表示ユニットに分割する。
各表示ユニットは、二つの隣接する画素ユニットからなる。
表示ユニットに必要な青色サブ画素のグレースケール値ＧＢｋについては、そのうちの一つの画素ユニット内の青色サブ画素にグレースケール値ＧＢＨｋを提供するとともに、もう一つの画素ユニット内の青色サブ画素にグレースケール値ＧＢＬｋを提供する。
以上の方法によって、２Ｄ１Ｇパネルの表示効果が得られ、側面または斜めから見た時に起こるカラーシフト問題を抑えるとともに、液晶パネルの開口率が小さくならず、液晶パネルの表示品質を保障することができる。
【００３１】
本発明の保護範囲は、決して前記の具体的な実施方式に限られるものではなく、本領域の技術者は、本発明に対して、本発明の精神と範囲を逸脱しない限りにおいて、各種の変更と修正ができる。
したがって、本発明の変更と修正は、本発明の権利請求及びそれと同じような技術の範囲内に属するとともに、本発明もそれら変更と修正のうちに含まれるものとする。
【符号の説明】
【００３２】
１    表示領域
２    ゲートドライバ
３    ソースドライバ
４    表示ユニット
５ａ  第一画素ユニット
５ｂ  第二画素ユニット
５１  赤色サブ画素
５２  緑色サブ画素
５３  青色サブ画素
【図１】
0006609802.tif 000002
【図２】
0006609802.tif 000003
【図３】
0006609802.tif 000004
【図４】
0006609802.tif 000005